(57)【要約】  リング状をなす本体（１）と、シャワーパイプ（１０）と、前記本体（１）の外周面に設けられるプラットフォーム（１１）とを含み、前記プラットフォーム（１１）には、前記シャワーパイプ（１０）と係合する取付孔（３０）が設けられる洗濯機の観察窓パッド。【選択図】図４
2021518251.tif 000002
【特許請求の範囲】
【請求項１】
リング状をなす本体（１）と、シャワーパイプ（１０）と、前記本体（１）の外周面に設けられるプラットフォーム（１１）とを含み、前記プラットフォーム（１１）には、前記シャワーパイプ（１０）と係合する取付孔（３０）が設けられる洗濯機の観察窓パッド。
【請求項２】
前記プラットフォーム（１１）と前記本体（１）の外周面との間が弧面（１２）により接続される請求項１に記載の洗濯機の観察窓パッド。
【請求項３】
前記プラットフォーム（１１）は、前記弧面（１２）との接続箇所に補強リブ（１３）が設けられる請求項２に記載の洗濯機の観察窓パッド。
【請求項４】
前記プラットフォーム（１１）に前記取付孔（３０）を取り囲んでフランジ（１４）が設けられ、前記フランジ（１４）の内側に前記シャワーパイプ（１０）が嵌設される請求項１に記載の洗濯機の観察窓パッド。
【請求項５】
前記本体（１）の外周面が内方に凹んで逃がし溝（１７）が形成される請求項１に記載の洗濯機の観察窓パッド。
【請求項６】
前記本体（１）の外周面には、第１摩耗防止リブ（１５）が凸設される請求項１に記載の洗濯機の観察窓パッド。
【請求項７】
前記本体（１）の内筒前フランジ（３）に向かって設けられた端面に第２摩耗防止リブ（１６）が凸設される請求項６に記載の洗濯機の観察窓パッド。
【請求項８】
前記第２摩耗防止リブ（１６）は、周方向に沿って前記本体（１）の端面に均一に配設される請求項７に記載の洗濯機の観察窓パッド。
【請求項９】
リング状のつば（１８）をさらに含み、前記つば（１８）は、前記本体（１）の内筒前フランジ（３）に向かう端部のエッジが前記本体（１）の中心方向に折り曲がることにより形成される請求項１に記載の洗濯機の観察窓パッド。
【請求項１０】
請求項１〜９のいずれか一項に記載の洗濯機の観察窓パッドを含む洗濯機。
【発明の詳細な説明】
【技術分野】
【０００１】
本出願は、出願日が２０１８年４月１７日で、出願番号が２０１８１０３４３４２０．８である中国特許出願に対して、優先権の利益を主張するものであり、当該出願におけるすべての内容は引用により本出願に援用する。
【０００２】
本開示は洗濯機の技術分野に関し、例えば洗濯機の観察窓パッド及び洗濯機に関する。
【背景技術】
【０００３】
洗濯機は電気エネルギーを利用して機械作用を発生させて衣類を洗濯するクリーニング電気器具であり、洗濯機の洗濯原理に応じてパルセータ洗濯機及びドラム洗濯機に分けることができる。
【０００４】
ドラム洗濯機は一般的に、ボックス本体、ドア、ドアに設けられた観察窓、観察窓パッド、ボックス本体内に設けられた外筒及び外筒内に回転可能に設けられた内筒を含む。衣類は、内筒内に放置され、内筒の回転に伴って継続的に持ち上げられて、振り落とされることで、衣類が洗浄される。ユーザは観察窓を通して内筒内の衣類の洗浄状況を観察することができる。観察窓のクリーニングを保証するために、観察窓パッドにはシャワーパイプが接続されており、シャワーパイプ内の水流によって観察窓を洗い流す。
【０００５】
洗濯機は運転中に、振動が発生し、シャワーパイプと観察窓パッドとの接触面積が小さく、シャワーパイプと観察窓パッドとの間に振動による相対運動が発生し、洗濯機の満載運転周期が長いと、観察窓パッドとシャワーパイプとの接続箇所が摩耗して破損しやすくなる。
【発明の概要】
【０００６】
本開示は洗濯機の観察窓パッドを提供し、観察窓パッドとシャワーパイプの接続箇所が摩耗することを防止でき、観察窓パッドの使用寿命を延長することに有利である。
【０００７】
一実施例において、リング状をなす本体と、シャワーパイプと、前記本体の外周面に設けられるプラットフォームとを含み、前記プラットフォームには、前記シャワーパイプと係合する取付孔が設けられる洗濯機観察窓パッドを提供する。
【０００８】
本開示はさらに、洗濯機であって、当該洗濯機においては観察窓パッドとシャワーパイプとの接続箇所が摩耗しにくく、観察窓パッドの使用寿命を延長することに有利であり、ユーザの使用体験を向上させる洗濯機を提供する。
【０００９】
一実施例において、前記洗濯機の観察窓パッドを含む洗濯機を提供する。
【図面の簡単な説明】
【００１０】
【図１】一実施例に係る洗濯機の部分構成模式図である。
【図２】一実施例に係る洗濯機の部分構成側面図である。
【図３】図２のＡ−Ａ方向に沿った断面図である。
【図４】一実施例に係る観察窓パッドの構成模式図一である。
【図５】図４のＢ部の部分拡大図である。
【図６】一実施例に係る観察窓パッドの構成模式図二である。
【図７】一実施例に係る観察窓パッドの側面図である。
【図８】図７のＣ−Ｃ方向に沿った断面図である。
【図９】図８のＤ部の部分拡大図である。
【図１０】一実施例に係るシャワーパイプ付き観察窓パッドの構成模式図である。
【図１１】一実施例に係るカウンタウェイト付き観察窓パッドの側面図である。
【符号の説明】
【００１１】
１０  シャワーパイプ
２０  カウンタウェイト
３０  取付孔
１  本体
１１  プラットフォーム
１２  弧面
１３  補強リブ
１４  フランジ
１５  第１摩耗防止リブ
１６  第２摩耗防止リブ
１７  逃がし溝
１８  つば
１９  差込溝
２  内筒
３  内筒前フランジ
４  外筒
【発明を実施するための形態】
【００１２】
図１に示すように、本実施例は、洗濯機を提供し、ドラム洗濯機であってもよい。洗濯機は、ボックス本体（図示せず）と、ドア（図示せず）と、ドアに設けられた観察窓（図示せず）と、観察窓パッドと、ボックス本体内に設けられた外筒４と、外筒４内に回転可能に設けられた内筒２とを含む。衣類は内筒２内に放置され、内筒２の回転に伴って継続的に持ち上げられ、振り落とされることで、衣類が洗浄される。ユーザは観察窓を通して内筒２内の衣類の洗浄状況を観察することができる。図１０に示すように、観察窓のクリーニングを保証するために、観察窓パッドには、シャワーパイプ１０が接続されており、シャワーパイプ１０内の水流によって観察窓を洗い流す。
【００１３】
図２及び図３に示すように、洗濯機の観察窓パッドは、リング状をなす本体１を含み、本体１は、シャワーパイプ１０に接続される。本体１の前側は観察窓に係合し、本体１の後側は洗濯機内の外筒前フランジ（図示せず）に接続されることで、観察窓パッドを固定する。内筒２は外筒４内に位置し、内筒２の前側には内筒前フランジ３が接続され、内筒前フランジ３は洗濯機の観察窓パッドの端部に対向して設けられる。洗濯機が作動するとき、内筒２と内筒前フランジ３が回転し、外筒４と洗濯機の観察窓パッドが固定されて動かないように保持される。シャワーパイプ１０の端部は、前側の観察窓をシャワーした水流で洗い流すように、本体１を通して前側に向かって設けられる。
【００１４】
関連技術における、洗濯機の観察窓パッドとシャワーパイプ１０との接続箇所が摩耗して破壊しやすいという問題を解決するために、図４及び図５に示すように、本体１の外周面には、プラットフォーム１１が設けられており、すなわち、本体１の弧状の外周面に一枚の平面からなる領域が設けられ、プラットフォーム１１には取付孔３０が設けられ、シャワーパイプ１０は取付孔３０に係合する。関連技術において弧面１２に取付孔３０が設けられることに対して、プラットフォーム１１を設けることにより、シャワーパイプ１０に接続される取付孔３０を平面上に設けて、観察窓パッドとシャワーパイプ１０との接続位置の強度を大きくすることができ、且つ、プラットフォーム１１がシャワーパイプ１０が加える力を受けており、観察窓パッドの受力面積を大きくすることにより、シャワーパイプ１０と本体１との相対運動が発生しにくくなることで、観察窓パッドの摩耗を防止し、観察窓パッドの使用寿命を延長する。
【００１５】
プラットフォーム１１と本体１とのリング状の外周面の接続箇所での応力が集中することを回避するために、プラットフォーム１１と本体１の外周面との間が弧面１２により過渡的に接続されてもよく、プラットフォーム１１と外周面とが滑らかに推移し、プラットフォーム１１と本体１の外周面との接続強度を大きくすることに有利であり、シャワーパイプ１１と本体１との相対運動が発生しにくくなる。
【００１６】
プラットフォーム１１の強度をさらに高め、プラットフォーム１１が破損することを回避するために、プラットフォーム１１は、弧面１２との接続箇所にさらに補強リブ１３が設けられてもよく、プラットフォーム１１が耐え得る荷重上限を大きくすることで、プラットフォーム１１およびプラットフォーム１１と弧面１２との接続箇所の強度を高める。
【００１７】
シャワーパイプ１０と本体１との相対運動を低減するために、プラットフォーム１１に取付孔３０を取り囲んでフランジ１４が凸設される。シャワーパイプ１０が取付孔３０に係合すると、フランジ１４の内側にシャワーパイプ１０が嵌設され、本体１とシャワーパイプ１０との接触面積を大きくして、シャワーパイプ１０の固定効果を向上させる。洗濯機が運転する時に、内筒２が回転して洗濯機を振動させ、シャワーパイプ１０をホースとしてもよく、ホースが振動により揺動する可能性がある。本実施例ではシャワーパイプ１０と本体１との固定効果がよく、シャワーパイプ１０と本体１とは相対運動せず、シャワーパイプ１０の揺動がないため、シャワーパイプ１０と本体１との間の摩擦を小さくし、洗濯機の観察窓パッドの破損をさらに回避する。
【００１８】
洗濯機の動作中には、内筒２が回転して内筒２内の衣類を継続的に持ち上げて振り落とし、内筒２と衣類の重心が衣類の動きに伴ってずれを発生する。図１１に示すように、洗濯機の正常動作を保証するために、洗濯機はさらにカウンタウェイト２０を含み、カウンタウェイト２０はセメントで製造されてもよく、カウンタウェイト２０によって洗濯機全体の重心が調整される。一般的には、カウンタウェイト２０は観察窓パッドの外側に設けられ、且つ先端寄りに設けられる。また、洗濯機内にはドアロック構造が設けられ、ドアロック構造は、ドアが閉じられた後に、ドアをボックス本体にロックし、洗濯機の作動中に、人為的な操作又は故障でドアが開くことを回避し、洗濯機及びユーザの安全が保証される。
【００１９】
洗濯機の観察窓パッドとカウンタウェイト２０又はドアロック構造とが干渉することを回避するために、図４に示すように、観察窓パッドの本体１の外周面が内方に凹んで逃がし溝１７が形成される。逃がし溝１７は観察窓パッドの前側に寄せて設けられ、逃がし溝１７の位置は洗濯機内のカウンタウェイト２０及びドアロック構造に対応する。本実施例では、逃がし溝１７は、連続して設けられたリング状の溝であり、他の実施例では、逃がし溝１７は、ドアロック及びカウンタウェイト２０に対応する位置にのみ設けられていてもよく、ここでは特に限定されない。
【００２０】
洗濯機の作動中に、振動によりカウンタウェイト２０が洗濯機の観察窓パッドに衝突して摩擦することで観察窓パッドが破損することを回避するため、図６及び図７に示すように、本体１の外周面には、第１摩耗防止リブ１５がさらに凸設され、第１摩耗防止リブ１５は、本体１の軸方向に沿って設けられ、且つ本体１の外周面には、複数の第１摩耗防止リブ１５が周方向に沿って設けられる。カウンタウェイト２０が本体１に衝突又は摩擦を発生すると、まず、カウンタウェイト２０が第１摩耗防止リブ１５に接触し、カウンタウェイト２０が本体１に直接に接触することが回避され、観察窓パッドの破損が回避される。
【００２１】
同様に、洗濯機の観察窓パッドの後側端面は、内筒前フランジ３に対向して設けられ、内筒前フランジ３が回転中に観察窓パッドに接触して観察窓パッドを摩耗することを回避するために、本体１は、内筒前フランジ３に向かう端面に第２摩耗防止リブ１６が設けられる。第２摩耗防止リブ１６は、本体１の径方向に沿って設けられ、且つ本体１の端面には、周方向に沿って複数の第２摩耗防止リブ１６が均一に配設され、複数の第２摩耗防止リブ１６は、リング状に分布する。内筒前フランジ３は、回転中にまず第２摩耗防止リブ１６に接触し、内筒前フランジ３と本体１とが直接に接触することが回避され、観察窓パッドの破損が回避される。
【００２２】
洗濯機の観察窓パッドは、観察窓パッドの位置が固定されるように、外筒前フランジに接続する必要がある。図８及び図９に示すように、本体１の後側は二回折り曲げて形成され、すなわち、前から後ろへ、側壁をまず内側に折り曲げて、そのあとは外側に折り曲げて、本体１の端部が折り曲げられて差込溝１９が形成され、外筒前フランジの端部が差込溝１９内に挿入されて、本体１と外筒前フランジとの固定を実現する。
【００２３】
洗濯機の作動中に、衣類が内筒２内で回転し、内筒前フランジ３と洗濯機の観察窓パッドとが接触して摩擦することで騒音を発生することを回避するために、洗濯機の観察窓パッドは内筒前フランジ３と接触せず，且つ洗濯機の観察窓パッドと内筒前フランジ３との間に隙間が存在し、これは関連技術において小さな衣類がこの隙間を通って内筒２と外筒４との間に落下したり、隙間の内に挟まったりしやすい。上記問題を回避するために、本実施例において、本体１の内筒前フランジ３の端部に向かうエッジは本体１の中心方向に折り曲げてもよく、リング状のつば１８が形成され、リング状のつば１８は衣類が隙間の内に入るのを遮ることができ、衣類が内筒２と外筒４との間に挟まったり落下したりすることを回避する。
【図１】
2021518251.tif 000003
【図２】
2021518251.tif 000004
【図３】
2021518251.tif 000005
【図４】
2021518251.tif 000006
【図５】
2021518251.tif 000007
【図６】
2021518251.tif 000008
【図７】
2021518251.tif 000009
【図８】
2021518251.tif 000010
【図９】
2021518251.tif 000011
【図１０】
2021518251.tif 000012
【図１１】
2021518251.tif 000013
【国際調査報告】
2021518251.tif 000014
2021518251.tif 000015
2021518251.tif 000016
2021518251.tif 000017